(57)【要約】      （修正有）【課題】折り畳み可能なドラム容器を提供する。【解決手段】ドラム容器は、底面１１と底面１１の外縁から上方に延びる側面１２とを有する布製の袋体１０と、側面１２の周方向に並べて側面１２に取り付けられた複数の側板１３と、袋体１０の開口を覆う蓋であって、底面１１と対向する天板を有する袋体１０の蓋とを備え、側板１３どうしを合わせるようにして折り畳み可能な構成を有する。ここで、袋体１０は、化学樹脂で構成されてもよく、側板１３および天板は、プラスチックダンボールで構成されてもよい。【選択図】図２
2018002255.tif 000002
【特許請求の範囲】
【請求項１】
底面と前記底面の外縁から上方に延びる側面とを有する布製の袋体と、
前記側面の周方向に並べて前記側面に取り付けられた複数の側板と、
を備え、
前記側板どうしを合わせるようにして折り畳み可能なドラム容器。
【請求項２】
前記側板は、前記側面に形成された袋状の収容部に収容されている請求項１に記載のドラム容器。
【請求項３】
前記側面に８枚の側板が取り付けられ、前記袋体は上面視略八角形である請求項１または２に記載のドラム容器。
【請求項４】
前記側面に６枚の側板が取り付けられ、前記袋体は上面視略六角形である請求項１または２に記載のドラム容器。
【請求項５】
前記袋体の開口を覆う蓋であって、前記底面と対向する天板を有する前記袋体の蓋を備える請求項１乃至４のいずれかに記載のドラム容器。
【請求項６】
前記側面の上部に取り付けられた紐と、
前記袋体の中心線を挟んで前記紐の取り付け位置の反対側に設けられたフックと、
を備え、
前記袋体の開口に前記蓋を被せた状態で、前記紐を、前記蓋の上を通して前記フックの側に回し、前記紐を緊張させて前記フックに縛ることにより、前記袋体に対して前記蓋を止める請求項５に記載のドラム容器。
【請求項７】
前記蓋は、
前記天板を含む平面部と、
前記平面部の外縁から下方に延びる鍔部と、
前記鍔部の内側面に形成された面ファスナーと、
を備える請求項５に記載のドラム容器。
【請求項８】
前記袋体の側面に巻かれたベルトを有する請求項１乃至７のいずれかに記載のドラム容器。
【請求項９】
前記ドラム容器を持ち上げる際に用いられる吊りベルトを有する請求項１乃至８のいずれかに記載のドラム容器。
【発明の詳細な説明】
【技術分野】
【０００１】
本発明は、例えば、工業材料等の粉体品や塊状品等を、輸送したり保管したりするために用いる容器に関するものである。
【背景技術】
【０００２】
従来、粉体品や塊状品等を輸送したり保管したりするために用いる容器として、ドラム缶が用いられていた。ドラム缶は、通常、鋼鉄製であり、隙間なく並べることができると共に、上に積み上げておくことができる（特許文献１）。これにより、スペースを無駄なく利用して、工場の倉庫等にたくさんのドラム缶を格納することができる。
【０００３】
そして、工業材料等が必要なときに、所定の荷役作業を行ってフォークリフト等の運搬車に載せて、倉庫等からドラム缶を運び出したり、空になったドラム缶を倉庫等の所定の場所に運びこんだりしていた。
【先行技術文献】
【特許文献】
【０００４】
【特許文献１】特開２０００−８５９７１号公報
【発明の概要】
【発明が解決しようとする課題】
【０００５】
しかし、ドラム缶から内容物を取り出した後の空になったドラム缶も、倉庫内のスペースをとってしまっていた。また、ドラム缶を輸送する場面においても、空のドラム缶を運ぶのは、効率が悪かった。本発明は、上記背景に鑑み、ドラム缶に代わる新しいタイプの容器を提案することを目的とする。
【課題を解決するための手段】
【０００６】
本発明のドラム容器は、底面と前記底面の外縁から上方に延びる側面とを有する布製の袋体と、前記側面の周方向に並べて前記側面に取り付けられた複数の側板とを備え、前記側板どうしを合わせるようにして折り畳み可能な構成を有する。ここで、前記袋体は、化学樹脂で構成されてもよく、前記側板は、プラスチックダンボールで構成されてもよい。
【０００７】
本発明の構成によれば、袋体に内容物が入っていないときには、複数の側板を合わせるようにして折り畳むことができるので、空のドラム容器が場所をとることがなくなる。倉庫の管理コストや輸送コストを低減させることができる。
【０００８】
本発明のドラム容器において、前記側板は、前記側面に形成された袋状の収容部に収容されていてもよい。このように袋状の収容部に側板を収容することで、剛性を有しかつ外側が布製の側面を実現することができる。
【０００９】
本発明のドラム容器は、前記側面に８枚の側板が取り付けられ、前記袋体は上面視略八角形であってもよいし、前記側面に６枚の側板が取り付けられ、前記袋体は上面視略六角形であってもよい。８枚または６枚の側板を有する構成により、ドラム容器を適切に折り畳むことができる。８枚の側板を有する場合、説明の便宜上、８つの側板に右回りに１〜８の番号を付すと、面１，２と面６，５を重ね合わせ、面１，２と面６，５をつなぐ面３，４と面８，７を谷折りにして重ね合わせることで、袋体を簡単に折り畳むことができる。６枚の側板を有する場合、説明の便宜上、６つの側板に右回りに１〜６の番号を付すと、面１と面４を重ね合わせ、面１と面４をつなぐ面２，３と面６，５を山折りにして重ね合わせることで、袋体を簡単に折り畳むことができる。また、ドラム容器は、上面視略八角形または上面視略六角形の形状を有しているので、従来の円筒型のドラム缶と略同じ形状であり、ドラム缶に代替する用い方をできる。
【００１０】
本発明のドラム容器は、前記袋体の開口を覆う蓋であって、前記底面と対向する天板を有する前記袋体の蓋を備えてもよい。ここで、天板は、プラスチックダンボールで構成されてもよい。
【００１１】
例えばホッパー等によって袋体に粒状の内容物を入れるとその中央が高くなるが、本発明の構成によれば、天板を有する蓋によって袋体の開口を覆うので、ドラム容器の上面が平らになり、ドラム缶と同様に、ドラム容器を縦に積むことが可能となる。
【００１２】
本発明のドラム容器は、前記側面の上部に取り付けられた紐と、前記袋体の中心線を挟んで前記紐の取り付け位置の反対側に設けられたフックとを備え、前記袋体の開口に前記蓋を被せた状態で、前記紐を、前記蓋の上を通して前記フックの側に回し、前記紐を緊張させて前記フックに縛ることにより、前記袋体に対して前記蓋を止める構成としてもよい。この構成により、紐をフックに縛ることで、袋体に蓋を止めることができる。なお、袋体の中心線とは、底面の中心から鉛直方向に延びる線である。
【００１３】
本発明のドラム容器において、前記蓋は、前記天板を含む平面部と、前記平面部の外縁から下方に延びる鍔部と、前記鍔部の内側面に形成された面ファスナーとを備えてもよい。この構成により、袋体に容易に蓋を取り付けることができる。
【００１４】
本発明のドラム容器は、前記袋体の側面に巻かれたベルトを有してもよい。この構成により、袋体に内容物を入れたときに、側板の撓みに起因するドラム容器の形状の型崩れを小さくできる。
【００１５】
本発明のドラム容器は、前記ドラム容器を持ち上げる際に用いられる吊りベルトを有してもよい。この構成により、クレーンやフォークリフト等で吊りベルトを引っ張ってドラム容器を持ち上げることができる。
【発明の効果】
【００１６】
本発明によれば、ドラム容器に内容物が入っていないときには、折り畳むことができ、管理コストや輸送コストを低減させることができる。
【図面の簡単な説明】
【００１７】
【図１】実施の形態のドラム容器の外観を示す図である。
【図２】（ａ）袋体の構成を示す図である。（ｂ）袋体の断面図である。（ｃ）袋体を上から見た図である。（ｄ）袋体の底面を示す図である。
【図３】（ａ）蓋の構成を示す図である。（ｂ）蓋に取り付けられた天板を示す図である。
【図４】（ａ）袋体を折り畳む前の状態を示す図である。（ｂ）袋体を折り畳んだ状態を示す図である。
【図５】ドラム容器を縦に積んだ様子を示す図である。
【発明を実施するための形態】
【００１８】
以下、本発明の実施の形態のドラム容器について説明する。
図１は、本発明の実施の形態のドラム容器１の外観を示す図である。図１に示すドラム容器１には、内容物が入っている。ドラム容器１は、内容物を入れる袋体１０と、袋体１０の上部の開口を覆う蓋３０とを有している。
【００１９】
蓋３０は、袋体１０の側面１２に取り付けられた紐１８を十字に掛けることによって、袋体１０に固定される。紐１８は、蓋３０に形成された切り込み３６を通して、袋体１０の側面１２にあるフック１９に縛りつけてある。これにより、蓋３０は、上に動いて外れてしまわないだけでなく、回転しないようにされている。
【００２０】
図２を参照して、ドラム容器１の構成について、詳しく説明する。図２（ａ）は袋体１０の構成を示す図、図２（ｂ）は袋体１０の断面図、図２（ｃ）は袋体１０を上から見た図、図２（ｄ）は袋体１０の底面１１を示す図である。袋体１０は、円形の底面１１と、底面１１の外縁から上方に延びる側面１２を有している。袋体１０は、ポリプロピレン等の化学樹脂を材料とする布である。円形の原反の縁部に沿って長方形の原反を縫い付けて作成される。一例において、円形の底面１１の直径は５６０ｍｍ、側面１２の高さは８８０ｍｍであり、これは、２００リットルドラム缶とほぼ同じ大きさである。
【００２１】
側面１２は、図２（ｂ）に示すように、縫製によって、８つの袋状の部分に分割されている。そして、各側面１２の袋状の部分には、プラスチックダンボールからなる長方形の側板１３が入れてある。これにより、ドラム容器１は上から見ると、図２（ｃ）に示すように略八角形の形状を有する。側板１３は、側面１２の高さとほぼ同じ高さを有しており、図２（ａ）に示すように、側板１３によってドラム容器１は自立する。
【００２２】
ドラム容器１の側面１２には、補強用ベルト１４，１５が巻かれている。この補強用ベルト１４，１５は、ドラム容器１に内容物が入れられたときに、ドラム容器１の径が大きくなって、樽のように変形しないようにするためのベルトである。上下方向においてドラム容器１の径が大きく変化しないようにすることで、ドラム容器１を隙間なく並べることができる。一例において、補強用ベルト１４，１５の太さは７０ｍｍであり、補強用ベルト１４の位置は上から１３０ｍｍ、補強用ベルト１５の位置は下から２３０ｍｍである。
【００２３】
ドラム容器１は吊りベルト１６を有している。吊りベルト１６をクレーンやフォークリフト等で吊り上げることで、ドラム容器１を運ぶことができる。通常のドラム缶の場合には、ドラム缶単体をクレーンやフォークリフト等で運ぶことができず、ロープ等の道具を用いなければ運ぶことができなかった。本実施の形態のドラム容器１は、吊りベルト１６を有することにより、荷役作業が容易になる。
【００２４】
吊りベルト１６は、ドラム容器１の側面１２の対向する面であって、上と下の補強用ベルト１４と補強用ベルト１５との間の部分に縫い付けられて固定されている。側面１２に縫い付けた吊りベルト１６の上から２つの補強用ベルト１４，１５を縫い付けて補強しているので、吊りベルト１６に大きな荷重がかかっても容易には取れない。このため、ドラム容器１に重い内容物を入れることができる。なお、吊りベルト１６は、上の補強用ベルト１４より上（具体的には、矢印１７で示す位置より上）においては縫いつけられていない。一例において、吊りベルト１６の長さは２２４０ｍｍである。
【００２５】
ドラム容器１の側面１２には、上の補強用ベルト１４の高さに等間隔に４つのフック２０が設けられている。このフック２０は、ドラム容器１に内容物を入れる際に、ドラム容器１がふらつかないように、内容物を入れる装置に固定するためのフック２０である。
【００２６】
ドラム容器１の側面１２には、前述したとおり、蓋３０を固定するための紐１８が取り付けられている。一例において、紐１８の幅は５０ｍｍ、長さは１３００ｍｍである。紐１８は袋体１０の側面１２に縫い付けられており、縫い付けた紐１８の上からさらに補強用ベルト１４を縫い付けて補強している。
【００２７】
図３（ａ）は蓋３０の構成を示す図である。蓋３０は、袋体１０の開口を覆う円形の平面部３１と、円の縁から下に延びる鍔部３５とを有している。一例において、円の直径は５７０ｍｍであり、鍔部３５の長さは１００ｍｍである。
【００２８】
図３（ｂ）は、平面部３１の構成を示す図である。平面部３１は、プラスチック製の円形の天板３３を挟んで、上下の二枚の円形の布３２，３４を縫製することによって構成されている。蓋３０の鍔部３５は、平面部３１の縁部に沿って、幅１００ｍｍの帯状の原反を縫い付けて作成される。
【００２９】
鍔部３５には、４箇所に蓋３０を止めるための紐１８を通すための切り込み３６が形成されている。内容物を入れた袋体１０の開口に蓋３０を被せた状態で、袋体１０の側面１２にある紐１８を蓋３０の切り込み３６を介して上方に通過させる。さらに、紐１８を蓋３０の径を横切るようにかけてから下方向に折り曲げ、蓋３０の反対側の切り込み３６を介して、紐１８を下に通し、紐１８を緊張させた状態でフック１９に縛り付ける。もう一本の紐１８についても同様に、蓋３０の上を通して反対にかけることにより、袋体１０に蓋３０を固定する。
【００３０】
蓋３０の鍔部３５にはカラーテープ３７が縫い付けられている。また、袋体１０の側面１２の上部にも、カラーテープ２１が縫い付けられている。このカラーテープ２１，３７は、袋体１０に蓋３０を被せるときの位置合わせを行うための目印である。カラーテープ２１，３７の位置を合わせることにより、紐１８を切り込み３６に通す適切な向きで蓋３０を被せることができる。
【００３１】
図４（ａ）は、内容物の入っていない袋体１０を示す図である。側面１２に並べて配置された長方形の側板１３をつなぐ布の部分が折れ曲がるので、袋体１０を折り畳むことができる。具体的には、上側の２つの側板１３の面と下側の２つの側板１３の面とを合わせる。上下の２つの側板１３を合わせるために、側面１２の２つの側板１３を谷折りする（内側に折る）。底面１１には側板１３が入っていないので、底面１１が折り畳みの妨げになることはなく、図４（ｂ）に示すように袋体１０を折り畳むことができる。以上、本実施の形態のドラム容器１について説明した。
【００３２】
本実施の形態のドラム容器１は、内容物が入っていないときには折り畳むことができるので、未使用時にスペースをとらない。
【００３３】
本実施の形態のドラム容器１は、側面１２に８つの側板１３が入っているので、ドラム缶と同様に、ドラム容器１をほぼ筒状にすることができる。また、図４（ｂ）に示すように、ドラム容器１をきれいに折り畳むことができる。
【００３４】
本実施の形態のドラム容器１は、蓋３０に天板３３が入っており、蓋３０をした状態ではドラム容器１の上面をフラットにできるので、袋体１０に入れた内容物の上面に凸凹があっても、図５に示すようにドラム容器１を縦に積むことができる。
【００３５】
本実施の形態のドラム容器１は、吊りベルト１６が袋体１０の側面１２の中腹に縫着されており、上の補強用ベルト１４より上の部分、具体的には矢印１７で示す位置より上においては縫いつけられていない。したがって、蓋３０の鍔部３５を袋体１０側面１２の外側に位置させることができ、袋体１０に適切に蓋３０を被せることができる。
【００３６】
以上、本発明の実施の形態のドラム容器について実施の形態を挙げて詳細に説明したが、本発明は上記した実施の形態に限定されるものではない。
【００３７】
上記した実施の形態においては、蓋３０に紐１８をかけることによって蓋３０を固定したが、袋体１０に蓋を固定する方法は紐１８をかける方法に限定されない。蓋３０の鍔部３５の内側面に面ファスナーを形成すると共に、蓋３０を被せたときに鍔部３５の面ファスナーに対応する袋体１０の場所に面ファスナーを形成してもよい。これにより、面ファスナーによって蓋３０を固定することができる。
【００３８】
上記した実施の形態では、袋体１０の側面１２に８つの側板１３を入れた例を挙げて説明したが、袋体１０の側面１２に入れる側板の数は８つに限定されない。例えば、側板は、４枚、６枚であってもよいし、１０枚以上であってもよい。
【００３９】
上記した実施の形態では、底部１１が円形である例をあげたが、ドラム容器の底部は必ずしも円形でなくてもよい。正方形、六角形、八角形などの多角形であってもよい。また、蓋３０の形状についても、円形に限らず、正方形や、六角形、八角形などの多角形であってもよい。
【００４０】
上記した実施の形態では、吊りベルト１６を袋体１０の中腹において、補強ベルト１４と補強ベルト１５の間で縫着する例を挙げたが、吊りベルト１６が袋体１０の底面を渡るようにして、吊りベルト１６を袋体の中腹から底面の範囲で縫着することとしてもよい。これにより、吊りベルト１６の強度を高めることができ、袋体１０に入れる内容物が重い場合にも対応できる。ただし、この場合にも、吊りベルト１６が蓋３０を被せるときの邪魔にならないように、上の補強用ベルト１４より上の部分、具体的には矢印１７で示す位置より上において縫いつけないことが好ましい。
【産業上の利用可能性】
【００４１】
本発明は、例えば、工業材料等の粉体品や塊状品等を、輸送したり保管したりするために用いる容器として有用である。
【符号の説明】
【００４２】
１  ドラム容器
１０  袋体
１１  底面
１２  側面
１３  側板
１４，１５  補強用ベルト
１６  吊りベルト
１７  補強用ベルトの縫製位置
１８  紐
１９  フック
２０  フック
２１  カラーテープ
３０  蓋
３１  平面部
３２，３４  布
３３  天板
３５  鍔部
３６  切り込み
３７  カラーテープ
【図１】
2018002255.tif 000003
【図２】
2018002255.tif 000004
【図３】
2018002255.tif 000005
【図４】
2018002255.tif 000006
【図５】
2018002255.tif 000007
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
底面と前記底面の外縁から上方に延びる側面とを有する布製の袋体と、前記側面の周方向に並べて前記側面に取り付けられた複数の側板とを備え、前記側板どうしを合わせるようにして折り畳み可能なドラム容器において、
前記袋体の開口を覆う蓋であって、前記底面と対向する天板を有する前記袋体の蓋と、
前記側面の上部に取り付けられた紐と、
前記袋体の中心線を挟んで前記紐の取り付け位置の反対側に設けられたフックと、
を備え、
前記袋体の開口に前記蓋を被せた状態で、前記紐を、前記蓋の上を通して前記フックの側に回し、前記紐を緊張させて前記フックに縛ることにより、前記袋体に対して前記蓋を止めるドラム容器。
【請求項２】
底面と前記底面の外縁から上方に延びる側面とを有する布製の袋体と、前記側面の周方向に並べて前記側面に取り付けられた複数の側板とを備え、前記側板どうしを合わせるようにして折り畳み可能なドラム容器において、
前記袋体の開口を覆う蓋であって、前記底面と対向する天板を有する前記袋体の蓋と、
前記ドラム容器を持ち上げる際に用いられる１本の吊りベルトと、
を備え、
前記吊りベルトは、対向する前記側面の中腹であって前記側面の高さの半分より下まで縫い付けられて固定されているドラム容器。
【請求項３】
前記側面には、ドラム容器の変形を抑える補強用ベルトが巻かれており、前記補強用ベルトは、前記吊りベルトの上から前記側面に縫い付けられている請求項２に記載のドラム容器。
【請求項４】
前記補強ベルトからドラム容器の上端までの部分において、前記吊りベルトが縫い付けられていない請求項３に記載のドラム容器。
【請求項５】
前記吊りベルトは、前記袋体の底面を渡るようにして、前記側面の中腹から底面の範囲で縫着されている請求項２乃至４のいずれかに記載のドラム容器。
【請求項６】
前記側板は、前記側面に形成された袋状の収容部に収容されている請求項１乃至５のいずれかに記載のドラム容器。
【請求項７】
前記側面に８枚の側板が取り付けられ、前記袋体は上面視略八角形である請求項１乃至６のいずれかに記載のドラム容器。
【請求項８】
前記側面に６枚の側板が取り付けられ、前記袋体は上面視略六角形である請求項１乃至６のいずれかに記載のドラム容器。